(57)【特許請求の範囲】
【請求項１】
壁または床の外側に臨むとともにその外側から管あるいは水栓本体の管部などの管体が接続される継手を、支持するための、継手支持具であって、
前記壁または床の内側に設置固定される支持具本体と、
前記支持具本体に、前記壁または床の内外方向に進退自在となるよう螺合して組み付けられるとともに、前記継手を前記壁または床の外側に臨むように前記継手の後ろ側から支える、支持体と、
前記支持具本体に組み付けられ、あるいは、前記壁または床に取付け固定されて、前記支持体に支えられた前記継手を、前記支持体から離脱不能となるよう前記継手の前側から押えて保持する保持手段と、
を有し、
前記支持具本体と前記支持体とが螺合する螺旋の巻き方向は、前記継手と前記管体とが螺合する螺旋の巻き方向と逆であって、前記支持体は、前記継手と係合してその継手を前記支持体に対して回り止めする、回り止め手段を備えることを特徴とする継手支持具。
【請求項２】
前記保持手段は、前記支持具本体に螺合して組み付けられて、前記支持体とで前記継手を挟持する、挟持体からなることを特徴とする請求項１に記載の継手支持具。
【請求項３】
壁または床の外側に臨むとともにその外側から管あるいは水栓本体の管部などの管体が接続される継手を、支持するための、継手支持具であって、
前記壁または床の内側に設置固定される支持具本体と、
前記支持具本体に、前記壁または床の内外方向に進退自在となるよう螺合して組み付けられるとともに、前記継手を前記壁または床の外側に臨むように前記継手の後ろ側から支える、支持体と、
前記支持体に支えられた前記継手を、その継手の前側から押えて前記支持体から離脱不能に保持するように、前記支持具本体に螺合して組み付けられて、前記支持体とで前記継手を挟持する、挟持体と、
を有し、
前記支持具本体と前記支持体とが螺合する螺旋の巻き方向は、前記継手と前記管体とが螺合する螺旋の巻き方向と逆であり、かつ、前記支持具本体と前記挟持体とが螺合する螺旋の巻き方向と、前記支持具本体と前記支持体とが螺合する螺旋の巻き方向とは、逆であることを特徴とする継手支持具。
【請求項４】
前記支持体は、前記継手と係合してその継手を前記支持体に対して回り止めする、回り止め手段を備えることを特徴とする請求項３に記載の継手支持具。
【請求項５】
前記支持具本体と前記支持体との螺合は、前記支持具本体の内面に設けられた雌ねじと前記支持体の外面に設けられた雄ねじとの螺合によりなされ、
前記支持具本体と前記挟持体との螺合は、前記支持具本体の外面に設けられた雄ねじと前記挟持体の内面に設けられた雌ねじとの螺合によりなされることを特徴とする請求項２ないし４のいずれか１項に記載の継手支持具。
【請求項６】
前記支持体は、前記壁または床の外側からの回動操作が可能となる操作部を備えてなることを特徴とする請求項１ないし５のいずれか１項に記載の継手支持具。
【発明の詳細な説明】
【０００１】
【発明の属する技術分野】
この発明は、管あるいは水栓本体の管部などの管体を接続するための継手を、壁や床の外側に臨むように支持する継手支持具に関するものである。
【０００２】
【従来の技術】
従来、給水用継手の支持具として、特許第２６０９９７２号公報に示される継手支持具が使用されていた。図６に示されるように、この継手支持具１１は、スラブ面１２に支持ボルト１３、１３を介して固定される基台１１ａと、継手１４を支える調整スリーブ１１ｂと、継手１４を調整スリーブ１１ｂとで挟んで固定する固定リング１１ｃとからなっていた。ここで、継手１４の高さ位置は、調整スリーブ１１ｂの、基台１１ａの雌ねじ部１１ｄへのねじ込み量を変えることで調整された。そして、固定リング１１ｃが、基台１１ａの雄ねじ部１１ｅにねじ込まれることで、高さ調整された継手１４が、この固定リング１１ｃと調整スリーブ１１ｂとに挟み込まれるようにして固定された。こうして、継手１４は、継手支持具１１によって支持され、この継手１４に、床１５の上面側から、管体１６がねじ込まれるようにして接続された。
【０００３】
【発明が解決しようとする課題】
ところで、前記従来の継手支持具１１にあっては、この継手支持具１１に支持された継手１４に、床１５の上面側から管体１６を接続する際、その管体１６を回動させてその管体１６を継手１４にねじ込むと、これに伴って、継手１４と調整スリーブ１１ｂが回動して下方に後退してしまった。その結果、継手１４と固定リング１１ｃとの間に隙間が生じて、継手１４ががたつき、そして、この継手１４に接続された床１５上の管体１６もまたがたつき、そのため、この管体１６を確実に配管することが困難であった。また、継手１４が、がたつくことで、その継手１４が管体１６と供回りし、継手１４に接続された床１５下の、架橋ポリエチレン管等の合成樹脂管からなる給水管１７に回転力が作用して、その給水管１７が、捻れ、さらには千切れてしまう虞もあった。
【０００４】
この発明は、上記した従来の欠点を解決するためになされたものであり、その目的とするところは、確実な配管を確保することができる継手支持具を提供することにある。
【０００５】
【課題を解決するための手段】
この発明に係る継手支持具は、前記目的を達成するために、次の構成からなる。すなわち、
請求項１に記載の発明に係る継手支持具は、壁または床の外側に臨むとともにその外側から管あるいは水栓本体の管部などの管体が接続される継手を、支持するための、支持具である。この継手支持具は、支持具本体と、支持体と、保持手段とを有する。ここで、前記支持具本体は、前記壁または床の内側に設置固定される。前記支持体は、前記支持具本体に、前記壁または床の内外方向に進退自在となるよう螺合して組み付けられるとともに、前記継手を前記壁または床の外側に臨むように前記継手の後ろ側から支えるものである。前記保持手段は、前記支持具本体に組み付けられて、あるいは、前記壁または床に取付け固定されて、前記支持体に支えられた前記継手を、前記支持体から離脱不能となるよう前記継手の前側から押えて保持する。そして、前記支持具本体と前記支持体とが螺合する螺旋の巻き方向は、前記継手と前記管体とが螺合する螺旋の巻き方向と逆であって、前記支持体は、前記継手と係合してその継手を前記支持体に対して回り止めする、回り止め手段を備える。
【０００６】
これにより、支持具本体は、壁または床の内側に設置固定される。そして、この支持具本体に、支持体が、壁または床の内外を結ぶ方向に進退自在となるよう螺合して組み付けられる。そして、この支持体が、継手を壁または床の外側に臨むように継手の後ろ側から支え、この継手を、保持手段が、支持体から離脱不能となるよう継手の前側から押えて保持する。そこで、管体を継手にねじ込むと、継手は保持手段によって保持されているので、継手が管体と供回りするのが抑えられる。また、継手が管体と供回りしようとした場合であっても、支持具本体と支持体とが螺合する螺旋の巻き方向が、継手と管体とが螺合する螺旋の巻き方向と逆となっているので、供回りする継手とともに、さらに支持体が供回りすると、その支持体および継手は、支持体が螺合する支持具本体に対して、壁または床の外側に進もうとする。しかし、継手は、その前側を保持手段によって押えられており、この保持手段によって継手および支持体の進行が阻まれるので、結局のところ、この継手の供回りを抑えることができる。
しかも、支持体に備わる回り止め手段によって、継手は、支持体に対して回り止めされるので、管体を継手にねじ込んだとき、継手が管体と供回りした場合には、供回りする継手とともに必ず支持体が供回りすることとなる。しかし、この支持体の供回りによる継手および支持体の進行が、保持手段によって阻まれるので、結局のところ、継手の供回りを確実に阻止することができる。
【０００７】
また、請求項２に記載の発明に係る継手支持具のように、請求項１に記載の継手支持具において、前記保持手段は、前記支持具本体に螺合して組み付けられて、前記支持体とで前記継手を挟持する、挟持体からなっていてもよい。このように、挟持体が、支持具本体に螺合して組み付けられて、その挟持体と支持体とで継手を挟持し、こうして、継手は、支持体から離脱不能となるよう保持される。
【０００８】
また、請求項３に記載の発明に係る継手支持具は、壁または床の外側に臨むとともにその外側から管あるいは水栓本体の管部などの管体が接続される継手を、支持するための、支持具である。この継手支持具は、支持具本体と、支持体と、挟持体とを有する。ここで、前記支持具本体は、前記壁または床の内側に設置固定される。支持体は、前記支持具本体に、前記壁または床の内外方向に進退自在となるよう螺合して組み付けられるとともに、前記継手を前記壁または床の外側に臨むように前記継手の後ろ側から支えるものである。前記挟持体は、前記支持体に支えられた前記継手を、その継手の前側から押えて前記支持体から離脱不能に保持するように、前記支持具本体に螺合して組み付けられて、前記支持体とで前記継手を挟持する。そして、前記支持具本体と前記支持体とが螺合する螺旋の巻き方向は、前記継手と前記管体とが螺合する螺旋の巻き方向と逆であり、かつ、前記支持具本体と前記挟持体とが螺合する螺旋の巻き方向と、前記支持具本体と前記支持体とが螺合する螺旋の巻き方向とは、逆である。
【０００９】
これにより、支持具本体は、壁または床の内側に設置固定される。そして、この支持具本体に、支持体が、壁または床の内外を結ぶ方向に進退自在となるよう螺合して組み付けられる。そして、この支持体が、継手を壁または床の外側に臨むように継手の後ろ側から支え、この継手を、支持具本体に螺合して組み付けられた挟持体が、継手の前側から押えて保持するように、支持体とで挟持する。そこで、管体を継手にねじ込むと、継手は挟持体によって保持されているので、継手が管体と供回りするのが抑えられる。また、継手が管体と供回りしようとした場合であっても、支持具本体と支持体とが螺合する螺旋の巻き方向が、継手と管体とが螺合する螺旋の巻き方向と逆となっているので、供回りする継手とともに、さらに支持体が供回りすると、その支持体および継手は、支持体が螺合する支持具本体に対して、壁または床の外側に進もうとする。しかし、継手は、その前側を挟持体によって押えられており、この挟持体によって継手および支持体の進行が阻まれるので、結局のところ、この継手の供回りを抑えることができる。
その上、支持具本体と挟持体とが螺合する螺旋の巻き方向と、支持具本体と支持体とが螺合する螺旋の巻き方向とは、逆となっているとともに、支持具本体と支持体とが螺合する螺旋の巻き方向は、継手と管体とが螺合する螺旋の巻き方向と逆となっていることから、支持具本体と挟持体とが螺合する螺旋の巻き方向は、継手と管体とが螺合する螺旋の巻き方向と同一となっている。このように、支持具本体と挟持体とが螺合する螺旋の巻き方向が、継手と管体とが螺合する螺旋の巻き方向と同一となっていることから、管体を継手にねじ込んた際、継手が管体と供回りしようとした場合であっても、供回りする継手とともに、さらに挟持体が供回りすると、その挟持体および継手は、挟持体が螺合する支持具本体に対して、壁または床の内側に進もうとする。しかし、継手は、その後ろ側を支持体によって支えられており、この支持体によって継手および挟持体の後退が阻まれるので、結局のところ、この継手の供回りを抑えることができる。
また、管体の接続に先だって、挟持体を支持具本体にねじ込んだ際に、継手が挟持体と供回りしようとした場合であっても、支持具本体と支持体とが螺合する螺旋の巻き方向が、支持具本体と挟持体とが螺合する螺旋の巻き方向と逆となっているので、供回りする継手とともに、さらに支持体が供回りすると、その支持体および継手は、支持体が螺合する支持具本体に対して、壁または床の外側に進もうとする。しかし、継手は、その前側を挟持体によって押えられており、この挟持体によって継手および支持体の進行が阻まれるので、結局のところ、この継手の供回りを抑えることができる。
【００１０】
また、請求項４に記載の発明に係る継手支持具のように、請求項３に記載の継手支持具において、前記支持体は、前記継手と係合してその継手を前記支持体に対して回り止めする、回り止め手段を備えるのが望ましい。こうして、支持体に備わる回り止め手段によって、継手は、支持体に対して回り止めされるので、管体を継手にねじ込んだとき、継手が管体と供回りした場合には、供回りする継手とともに必ず支持体が供回りすることとなる。しかし、この支持体の供回りによる継手および支持体の進行が、挟持体によって阻まれるので、結局のところ、継手の供回りを確実に阻止することができる。さらに、前記回り止め手段によって、継手は、支持体に対して回り止めされるので、挟持体を支持具本体にねじ込んだとき、継手が挟持体と供回りした場合には、供回りする継手とともに必ず支持体が供回りすることとなる。しかし、この支持体の供回りによる継手および支持体の進行が、挟持体によって阻まれるので、結局のところ、継手の供回りを確実に阻止することができる。
【００１１】
また、請求項５に記載の発明に係る継手支持具のように、請求項２ないし４のいずれか１項に記載の継手支持具において、前記支持具本体と前記支持体との螺合は、前記支持具本体の内面に設けられた雌ねじと前記支持体の外面に設けられた雄ねじとの螺合によりなされ、前記支持具本体と前記挟持体との螺合は、前記支持具本体の外面に設けられた雄ねじと前記挟持体の内面に設けられた雌ねじとの螺合によりなされてもよい。
【００１２】
また、請求項６に記載の発明に係る継手支持具のように、請求項１ないし５のいずれか１項に記載の継手支持具において、前記支持体は、前記壁または床の外側からの回動操作が可能となる操作部を備えていてもよい。これにより、支持体の操作部を、壁または床の外側から回動操作することで、支持体の進退位置が調整され、それに伴って、継手の進退位置が調整される。
【００１３】
【発明の実施の形態】
以下、この発明に係る継手支持具の実施の形態を図面に基づいて説明する。
【００１４】
図１ないし図５は、本発明に係る継手支持具の一実施の形態を示す。図中符号１は、建物の壁である。１ａは、壁１に形成された貫通孔としての壁孔である。２は、前記壁孔１ａを通して、前記壁１の外側（表側）Ｑに臨むとともにその外側Ｑから管体としての通水管３が接続される継手である。４は、前記継手２を支持するための継手支持具である。
【００１５】
この継手支持具４は、壁１の内側Ｐに設置固定される支持具本体５と、支持体６と、保持手段７とを有する。
【００１６】
支持具本体５は、例えば、塩化ビニル樹脂等の合成樹脂からなり、本体部５ａと、鞘管接続部５ｂと、取付部５ｃとを備えている。本体部５ａは、円筒状に形成されて、その内面に雌ねじ５ｄが設けられ、また、外面に雄ねじ５ｅが設けられている。そして、図示実施の形態においては、この本体部５ａが、壁１の内側Ｐから、壁孔１ａに挿入されて、壁１の外側Ｑに臨んでいる。鞘管接続部５ｂは、前記本体部５ａの後方に、その本体部５ａと内部が連通するように形成されている。そして、この鞘管接続部５ｂには、鞘管８が接続され、その鞘管８に、例えば、架橋ポリエチレン管等の合成樹脂管からなる、給水管等の流体管９が挿通される。取付部５ｃは、この支持具本体５を、壁１の内側Ｐに設置固定するためのものである。この取付部５ｃは、本体部５ａの後端部分、すなわち本体部５ａと鞘管接続部５ｂとの境界部分から、側方に突出して形成されたフランジからなる。そして、取付部５ｃには、取付孔５ｆ、５ｆが明けられており、この取付部５ｃは、取付孔５ｆ、５ｆに挿通されるビスＶ、Ｖ等の固着具を介して、壁１の裏面１ｂに止められる。
【００１７】
支持体６は、支持具本体５に、壁１の内外方向に進退自在となるよう螺合して組み付けられるとともに、継手２を壁１の外側Ｑに臨むように継手２の後ろ側から支えるものである。つまり、この継手支持具４は、支持具本体５への支持体６のねじ込み量を変えて、支持具本体５に対する支持体６の進退位置を調整することで、継手２の前後の位置を調整できるようになっている。そして、支持体６は、その支持体６が支える継手２を回り止めする回り止め手段Ｍを備えている。さらに、支持体６は、壁１の外側Ｑからの回動操作が可能となる操作部Ｓを備えている。
【００１８】
詳細には、この支持体６は、例えば、塩化ビニル樹脂等の合成樹脂からなり、円筒状に形成されて、その外面に雄ねじ６ａが設けられている。すなわち、支持具本体５とこの支持体６との螺合は、支持具本体５の内面に設けられた前記雌ねじ５ｄと、この支持体６の外面に設けられた雄ねじ６ａとの螺合によりなされる。そして、この円筒状に形成された支持体６の前端部分の内面に、前記回り止め手段Ｍとなる係合溝６ｂ、６ｂが形成されている（図２、図３参照）。こうして、この係合溝６ｂ、６ｂが継手２（具体的には、継手２の後述する第２の六角部２ｆ）と係合することで、継手２は支持体６に対して回り止めされる。また、支持体６は、その前端の周方向に適宜間隔をおいて、前記操作部Ｓとなる凹部６ｃ、６ｃが形成されている（図４、図５参照）。つまり、水栓レンチ等の操作具（図示せず）を、この凹部６ｃ、６ｃに、壁１の外側Ｑから掛けて回すことで、支持体６を回動操作することができる。
【００１９】
保持手段７は、支持体６に支えられた継手２を、支持体６から離脱不能となるよう継手２の前側から押えて保持するものである。詳細には、保持手段７は、壁孔１ａ内において、支持具本体５に螺合して組み付けられて、前記支持体６とで継手２を挟持する、挟持体７ａからなる。この挟持体７ａは、例えば、ＡＢＳ樹脂等の合成樹脂からなり、円筒状に形成された筒部７ｂと、その筒部７ｂの前側を被う頂部７ｃとから構成されている。そして、頂部７ｃには、継手２の、後述する一方の接続口２ａが通される開口孔７ｄが形成されている。また、挟持体７ａには、その内面、すなわち筒部７ｂの内面に、雌ねじ７ｅが設けられている。すなわち、支持具本体５とこの挟持体７ａとの螺合は、支持具本体５の外面に設けられた前記雄ねじ５ｅと、この挟持体７ａの内面に設けられた雌ねじ７ｅとの螺合によりなされる。
【００２０】
継手２は、図２に示すように、その大半が、継手支持具４に収容されて、前部側の一方の接続口２ａの先端部分が、継手支持具４の開口部（つまり、挟持体７ａの開口孔７ｄ）から前方（つまり、壁１の外側Ｑ）に露出する。そして、この接続口２ａに、例えば、水や湯を水栓等の給水器具等（図示せず）に供給するための通水管３が接続される。すなわち、接続口２ａには、その内側に雌ねじ２ｂが設けられており、この雌ねじ２ｂが、通水管３の端部に設けられた雄ねじ３ａと螺合するようになっている。一方、この継手２の後部側の他方の接続口２ｃには、鞘管接続部５ｂから継手支持具４の内部に挿入される流体管９が、接続される。こうして、流体管９を通って継手２に流れる水や湯が、通水管３を通って、水栓等の給水器具等に供給される。また、継手２は、一方の接続口２ａの中間部分に、側方に突出する鍔部２ｄが設けられている。そして、継手２は、この鍔部２ｄが、後ろ側から、支持体６の前端によって支えられ、また、前側から、挟持体７ａの頂部７ｃによって押えられて保持されている。すなわち、継手２は、鍔部２ｄが、支持体６と挟持体７ａとで挟持されることで保持されている。そして、一方の接続口２ａは、鍔部２ｄよりも前方の外周面に、六角状に形成された第１の六角部２ｅが形成され、また、鍔部２ｄよりも後方の外周面に、同じく六角状に形成された第２の六角部２ｆが形成されている。
【００２１】
ところで、支持具本体５と支持体６とが螺合する螺旋の巻き方向は、継手２と通水管３とが螺合する螺旋の巻き方向と逆となっている。図示実施の形態においては、継手２と通水管３との螺合には、右ねじが用いられているのに対し、支持具本体５と支持体６との螺合には、左ねじが用いられている。詳細には、継手２の雌ねじ２ｂと通水管３の雄ねじ３ａは、右ねじであるのに対して、支持具本体５の雌ねじ５ｄと支持体６の雄ねじ６ａは、左ねじとなっている。
【００２２】
さらに、支持具本体５と挟持体７ａとが螺合する螺旋の巻き方向は、継手２と通水管３とが螺合する螺旋の巻き方向と同一となっている。つまり、支持具本体５と挟持体７ａとが螺合する螺旋の巻き方向と、支持具本体５と支持体６とが螺合する螺旋の巻き方向とは、逆となっている。図示実施の形態においては、支持具本体５と挟持体７ａとの螺合には、右ねじが用いられている。詳細には、支持具本体５の雄ねじ５ｅと挟持体７ａの雌ねじ７ｅは、右ねじとなっている。
【００２３】
次に、以上の構成からなる継手支持具４の作用効果について説明する。この継手支持具４によると、壁１の内側Ｐに設置固定された支持具本体５に、支持体６が、壁１の内外を結ぶ方向に進退自在となるよう螺合して組み付けられる。そして、この支持体６が、継手２を壁１の外側Ｑに臨むように継手２の後ろ側から支え、保持手段７となる挟持体７ａが、継手２を支持体６から離脱不能となるよう継手２の前側から押えて保持する。すなわち、挟持体７ａと支持体６とで継手２を挟持することで、継手２を支持体６から離脱不能となるよう保持する。そこで、通水管３を継手２にねじ込むと、継手２は挟持体７ａによって保持されているので、継手２が通水管３と供回りするのが抑えられる。また、継手２が通水管３と供回りしようとした場合であっても、支持具本体５と支持体６とが螺合する螺旋の巻き方向が、継手２と通水管３とが螺合する螺旋の巻き方向と逆となっているので、供回りする継手２とともに、さらに支持体６が供回りすると、その支持体６および継手２は、支持体６が螺合する支持具本体５に対して、前方すなわち壁１の外側Ｑに進もうとする。しかし、継手２は、その前側を挟持体７ａによって押えられており、この挟持体７ａによって継手２および支持体６の進行（壁１の外側Ｑへの螺進）が阻まれるので、結局のところ、この継手２の供回りを抑えることができる。このように、通水管３を継手２にねじ込んだとき、継手２の供回りを抑えることができるので、確実な配管を確保することができる。
【００２４】
しかも、支持体６に備わる回り止め手段Ｍとしての係合溝６ｂによって、継手２は、支持体６に対して回り止めされるので、通水管３を継手２にねじ込んだとき、継手２が通水管３と供回りした場合には、供回りする継手２とともに必ず支持体６が供回りすることとなる。しかし、この支持体６の供回りによる継手２および支持体６の進行（壁１の外側Ｑへの螺進）が、挟持体７ａによって阻まれるので、結局のところ、継手２の供回りを確実に阻止することができる。このように、通水管３を継手２にねじ込んだとき、継手２の供回りを確実に阻止することができるので、一層確実な配管を確保することができる。
【００２５】
その上、支持具本体５と挟持体７ａとが螺合する螺旋の巻き方向が、継手２と通水管３とが螺合する螺旋の巻き方向と同一となっていることから、通水管３を継手２にねじ込んた際、継手２が通水管３と供回りしようとした場合であっても、供回りする継手２とともに、さらに挟持体７ａが供回りすると、その挟持体７ａおよび継手２は、挟持体７ａが螺合する支持具本体５に対して、壁１の内側に進もうとする。しかし、継手２は、その後ろ側を支持体６によって支えられており、この支持体６によって継手２および挟持体７ａの後退が阻まれるので、結局のところ、この継手２の供回りを抑えることができる。こうして、通水管３を継手２にねじ込んだとき、支持具本体５と挟持体７ａとの螺合状体によっても、継手２の供回りを阻止することができるので、さらに一層確実な配管を確保することができる。
【００２６】
また、前記通水管３の接続に先だって、挟持体７ａを支持具本体５にねじ込んだ際に、継手２が挟持体７ａと供回りしようとした場合であっても、支持具本体５と支持体６とが螺合する螺旋の巻き方向が、支持具本体５と挟持体７ａとが螺合する螺旋の巻き方向と逆となっているので、供回りする継手２とともに、さらに支持体６が供回りすると、その支持体６および継手２は、支持体６が螺合する支持具本体５に対して、前方すなわち壁１の外側Ｑに進もうとする。しかし、継手２は、その前側を挟持体７ａによって押えられており、この挟持体７ａによって継手２および支持体６の進行（壁１の外側Ｑへの螺進）が阻まれるので、結局のところ、この継手２の供回りを抑えることができる。しかも、支持体６に備わる回り止め手段Ｍとしての係合溝６ｂによって、継手２は、支持体６に対して回り止めされるので、挟持体７ａを支持具本体５にねじ込んだとき、継手２が挟持体７ａと供回りした場合には、供回りする継手２とともに必ず支持体６が供回りすることとなる。しかし、この支持体６の供回りによる継手２および支持体６の進行（壁１の外側Ｑへの螺進）が、挟持体７ａによって阻まれるので、結局のところ、継手２の供回りを確実に阻止することができる。
【００２７】
このようにして、通水管３を継手２にねじ込んだときとか、挟持体７ａを支持具本体５にねじ込んだときに、継手２の供回りを抑える、あるいは阻止することができる。したがって、継手２に接続された、壁１の内側の流体管９が、捩じれることもない。
【００２８】
また、支持体６は、壁１の外側Ｑからの回動操作が可能となる操作部Ｓとしての凹部６ｃを備えている。したがって、その凹部６ｃを、壁１の外側Ｑから、操作具等により回動操作することで、支持体６の進退位置が調整され、それに伴って、継手２の進退位置が調整される。すなわち、支持具本体５を壁１の内側Ｐに設置固定した後であっても、支持体６の進退位置、つまりは継手２の進退位置を調整することができる。
【００２９】
なお、本発明は、上述した実施の形態に限定されるわけではなく、その他種々の変更が可能である。すなわち、この継手支持具４が配備されるのは、壁１でなくとも、例えば従来技術を示す図６と同様に、床であってもよい。
【００３０】
また、支持具本体５は、その取付部５ｃが、壁１や床の裏面１ｂに直接止められなくとも、他の部材を介して、前記裏面１ｂに間接的に止められてもよい。さらに、取付部５ｃは、壁１や床の裏面１ｂに止められなくとも、壁孔１ａ等の貫通孔等に止められてもよい。さらに、支持具本体５は、その取付部５ｃが、壁１や床の裏面１ｂ等に直接あるいは間接的に止められることで、壁１や床の内側に設置固定されなくとも、取付部５ｃが、壁１や床以外のその他の場所、例えば、床におけるスラブ面に、支持ボルト等の支持材を介して止められたり支持されたりすることで（図６参照）、壁１や床の内側に設置固定されてもよい。なお、前述のように、この明細書において、壁１や床の内側とは、壁１や床の裏面側だけでなく、壁孔１ａ等の貫通孔内を含む概念である。
【００３１】
また、挟持体７ａは、支持具本体５に、螺合して組み付けられなくとも、その他の方法で組み付けられてもよく、さらには、支持具本体５ではなく、壁１等に取付け固定されるものであってもよい。
【００３２】
また、支持体６は、回り止め手段Ｍとして、係合溝６ｂを備えているが、この回り止め手段Ｍは、継手２と係わってその継手２を回り止めするものであれば、どのような形状あるいは構造であってもよい。同様に、支持体６は、操作部Ｓとして、凹部６ｃを備えているが、この操作部Ｓは、壁１の外側Ｑからの回動操作が可能となるものであれば、どのような形状あるいは構造であってもよい。さらに、これら回り止め手段Ｍとしての係合溝６ｂや、操作部Ｓとしての凹部６ｃは、無くともよい。
【００３３】
また、継手２に接続される管体は、通水管３でなくとも、水栓本体の管部等であってもよい。すなわち、継手２に、水栓等が直接接続されてもよい。さらに、管体は、水や湯等の液体を通すものでなくとも、ガス等の流体を通すものであってもよい。
【００３４】
【発明の効果】
以上、詳述したところから明らかなように、この発明に係る継手支持具によれば、次の効果がある。
【００３５】
請求項１〜６に記載された継手支持具によれば、管体を継手にねじ込んだとき、継手の供回りを抑えることができるので、確実な配管を確保することができる。
【００３６】
【００３７】
【００３８】
特に、請求項３に記載された継手支持具では、挟持体を支持具本体にねじ込んだとき、継手の供回りを抑えることができる。
【００３９】
また、特に、請求項６に記載された継手支持具では、壁または床の外側からの操作で、継手の進退位置を調整することができる。
【図面の簡単な説明】
【図１】  この発明に係る継手支持具の一実施の形態の、断面図である。
【図２】  同じく、図１における要部拡大図である。
【図３】  同じく、図２におけるＡ−Ａ線による拡大断面図である。
【図４】  同じく、分解図である。
【図５】  同じく、支持体の平面図である。
【図６】  従来の継手支持具を示す断面図である。
【符号の説明】
１  壁                  ２  継手
３  通水管（管体）      ４  継手支持具
５  支持具本体          ５ｄ  雌ねじ
５ｅ  雄ねじ            ６  支持体
６ａ  雄ねじ            ６ｂ  係合溝
６ｃ  凹部              ７  保持手段
７ａ  挟持体            ７ｅ  雌ねじ
Ｐ  内側                Ｑ  外側
Ｍ  回り止め手段        Ｓ  操作部
【図１】
0003946997.tif 000002
【図２】
0003946997.tif 000003
【図３】
0003946997.tif 000004
【図４】
0003946997.tif 000005
【図５】
0003946997.tif 000006
【図６】
0003946997.tif 000007